(57)【要約】【課題】ネジ用ボスのネジ山の破損を確実に防止することができるドア用のハンドル座を提供する。【解決手段】一方の台座６には、ネジ用ボス３１が他方の台座５側に向けて突設され、該ネジ用ボス３１の内周面に他方の台座５側から固定ネジ７を螺入させることにより、一対の台座５，６がドア１を介して締結される。ネジ用ボス３１は、一方の台座６の台座本体３０とは別体の構成とされ、一方の台座６の台座本体３０には、ネジ用ボス３１の回り止めとなる係止部が設けられ、固定ネジ７を一定以上ねじ込むと、両台座５，６が互いに接近して係止部がドア１の壁面１ｂに押されることにより、係止部によるネジ用ボス３１の係止状態が解除されてネジ用ボス３１が台座本体３０に対して空転する。【選択図】図１
2016053244.tif 000002
【特許請求の範囲】
【請求項１】
ドアのハンドルを支持すべくドアの両壁面にそれぞれ固定される一対の台座を備え、一方の台座には、ネジ用ボスが他方の台座側に向けて突設され、該ネジ用ボスの内周面に他方の台座側から固定ネジを螺入させることにより、一対の台座がドアを介して締結されるドア用のハンドル座であって、
ネジ用ボスは、一方の台座の台座本体とは別体の構成とされ、
一方の台座の台座本体には、ネジ用ボスの回り止めとなる係止部が設けられ、
固定ネジを一定以上ねじ込むと、両台座が互いに接近して係止部がドアの壁面に押されることにより、係止部によるネジ用ボスの係止状態が解除されてネジ用ボスが台座本体に対して空転するように構成されていることを特徴とするドア用のハンドル座。
【請求項２】
台座本体にはネジ用ボスの軸線方向に沿って貫通したボス挿入孔が形成されて該ボス挿入孔にネジ用ボスが挿入されており、該ボス挿入孔のドア側の開口縁部には、ボス挿入孔の中心側且つドア側に傾斜した係合突片が係止部として形成され、ネジ用ボスの外周面には、係合突片に係止される係合凹部が形成され、係合突片がドアの壁面に押されて反ドア側に弾性変形することにより、係合突片が係合凹部から外れてネジ用ボスの係止状態が解除される請求項１記載のドア用のハンドル座。
【請求項３】
ネジ用ボスの反ドア側の端面には、ドアへの取付後において工具の先端部を係合させることによってネジ用ボスの空転を止めるための締結解除用の係合凹部が形成されている請求項１又は２記載のドア用のハンドル座。
【発明の詳細な説明】
【技術分野】
【０００１】
本発明は、ドアに回動自在に取り付けられるハンドルを、ドアの両壁面でそれぞれ支持するためのハンドル座に関する。
【背景技術】
【０００２】
ハンドル座は、一対の台座を備えており、該一対の台座は、ハンドルを支持すべくドアの両壁面にそれぞれ取り付けられる。具体的には、一対の台座は、固定ネジによってドアを挟み込むようにして互いに締結され一体化される。そのため、一方の台座には他方の台座側に向かって延びるネジ用ボスが突設され、該ネジ用ボスの内周面に、他方の台座側から固定ネジをねじ込むことで、両台座はドアを介して締結される。
【０００３】
このように一対の台座をドアに固定する際には、固定ネジを他方の台座側からねじ込んでいくことになるが、その作業において固定ネジを締め込み過ぎると、ネジ用ボスの内周面のネジ山が破損するという問題がある。
【０００４】
かかる固定ネジの締め込み過ぎが原因となるネジ山の破損を防止するために、下記特許文献１では、ネジ用ボスにスリットを形成するという構成が提案されている。該構成では、固定ネジを締め込み過ぎた場合に、ネジ用ボスのスリットが開くことで固定ネジがネジ用ボスのネジ山を飛ばすことになり、それによって締め込み過ぎが防止されるというものである。しかしながら、固定ネジがネジ用ボスのネジ山を繰り返し飛ばすことになるため、やはり、ネジ山が破損しやすく、ネジ山破損の根本的な解決には至っていない。
【先行技術文献】
【特許文献】
【０００５】
【特許文献１】特許第４４６３８２９号公報
【発明の概要】
【発明が解決しようとする課題】
【０００６】
それゆえに本発明は上記従来の問題点に鑑みてなされ、ネジ用ボスのネジ山の破損を確実に防止することができるドア用のハンドル座を提供することを課題とする。
【課題を解決するための手段】
【０００７】
本発明は上記課題を解決すべくなされたものであって、本発明に係るドア用のハンドル座は、ドアのハンドルを支持すべくドアの両壁面にそれぞれ固定される一対の台座を備え、一方の台座には、ネジ用ボスが他方の台座側に向けて突設され、該ネジ用ボスの内周面に他方の台座側から固定ネジを螺入させることにより、一対の台座がドアを介して締結されるドア用のハンドル座であって、ネジ用ボスは、一方の台座の台座本体とは別体の構成とされ、一方の台座の台座本体には、ネジ用ボスの回り止めとなる係止部が設けられ、固定ネジを一定以上ねじ込むと、両台座が互いに接近して係止部がドアの壁面に押されることにより、係止部によるネジ用ボスの係止状態が解除されてネジ用ボスが台座本体に対して空転するように構成されていることを特徴とする。
【０００８】
該構成のドア用のハンドル座にあっては、ドアへの取付前の状態においては、一方の台座における台座本体の係止部がネジ用ボスを係止して回り止めしているため、ネジ用ボスは台座本体に対して軸線回りに相対回転することができない状態にある。従って、固定ネジを他方の台座側から一方の台座のネジ用ボスにねじ込んでいくことができる。そして、固定ネジを一定以上ねじ込んでいって両台座が互いに接近していくと、やがて一方の台座本体の係止部がドアの壁面に当接してそれに押されることになる。台座本体の係止部がドアの壁面に押されると、係止部がネジ用ボスを回り止めしている係止状態が解除されることになり、ネジ用ボスは台座本体に対して空転する。即ち、固定ネジをねじ込んでいく際の反作用によってネジ用ボスの係止状態が自動的に解除される。従って、固定ネジをそれ以上締め込もうとしても、ネジ用ボスは固定ネジと共に回転するので、固定ネジをそれ以上締め込むことができない。
【０００９】
特に、台座本体にはネジ用ボスの軸線方向に沿って貫通したボス挿入孔が形成されて該ボス挿入孔にネジ用ボスが挿入されており、該ボス挿入孔のドア側の開口縁部には、ボス挿入孔の中心側且つドア側に傾斜した係合突片が係止部として形成され、ネジ用ボスの外周面には、係合突片に係止される係合凹部が形成され、係合突片がドアの壁面に押されて反ドア側に弾性変形することにより、係合突片が係合凹部から外れてネジ用ボスの係止状態が解除されることが好ましい。該構成によれば、ボス挿入孔のドア側の開口縁部、即ち、ドアに近い側の開口縁部に、ボス挿入孔の中心側且つドア側に傾斜して係合突片が形成されていてその係合突片がネジ用ボスの外周面の係合凹部に係合し、それによってネジ用ボスが係止されている。そして、固定ネジをねじ込んでいって台座本体の係合突片がドアの壁面によって押されると、係合突片は反ドア側、即ち、ドアから遠い側に向けて弾性変形してネジ用ボスの係合凹部から外れる。このように係合突片が弾性変形することでネジ用ボスの係合凹部から外れる構成とすると、係止部の構成を簡易なものとすることができる。
【００１０】
また、ネジ用ボスの反ドア側の端面には、ドアへの取付後において工具の先端部を係合させることによってネジ用ボスの空転を止めるための締結解除用の係合凹部が形成されていることも好ましい。上述したように、ドアへ取り付ける際にネジ用ボスは台座本体に対して空転する状態となっているので、その空転状態のままでは、固定ネジを緩めて一対の台座をドアから取り外すことはできない。そこで、ネジ用ボスの反ドア側の端面に締結解除用の係合凹部を形成しておくと、ネジ用ボスの締結解除用の係合凹部に工具の先端部を係合させてネジ用ボスの空転を阻止することができ、固定ネジを緩めて一対の台座をドアから取り外すことができる。
【発明の効果】
【００１１】
以上のように本発明に係るドア用のハンドル座にあっては、固定ネジを一定以上ねじ込むとネジ用ボスが空転するので、固定ネジの締め込み過ぎによるネジ用ボスのネジ山の破損を確実に防止することができる。また、固定ネジをねじ込んでいく際の反作用を有効に利用して、ネジ用ボスを自動的に空転させることができる。
【図面の簡単な説明】
【００１２】
【図１】本発明の一実施形態におけるドア用のハンドル座の使用状態を示す平面側から見た断面図。
【図２】同ドア用のハンドル座の使用状態を示す正面図。
【図３】同ドア用のハンドル座の断面図。
【図４】同ドア用のハンドル座におけるネジ用ボスを示す正面図。
【図５】同ドア用のハンドル座における一方の台座の台座本体を表側から見た正面図。
【図６】同ドア用のハンドル座における一方の台座の台座本体を裏側から見た背面図。
【図７】図５のＡ−Ａ断面図。
【図８】同ドア用のハンドル座における一方の台座を表側から見た正面図。
【図９】同ドア用のハンドル座における一方の台座を裏側から見た背面図。
【図１０】図８のＢ−Ｂ断面図。
【図１１】同ドア用のハンドル座をドアに取り付けた状態を示すＢ−Ｂ断面に相当する断面図。
【発明を実施するための形態】
【００１３】
以下、本発明の一実施形態にかかるドア用のハンドル座について図１〜図１１を参酌しつつ説明するが、まず、本実施形態において、ドア１へのハンドル２の取付状態の概要について説明する。
【００１４】
図１及び図２に示しているように、ドア１の内部にはラッチ機構部３が内蔵され、該ラッチ機構部３をハンドル支軸４が貫通し、ドア１の両壁面１ａ，１ｂからそれぞれ突出するハンドル支軸４の両端部には、それぞれハンドル２が一体的に取り付けられる。一対のハンドル２は、Ｌ字状のレバー型のものであって、ドア１を介して互いに対向状態にあり、ハンドル支軸４の軸線回りにハンドル支軸４と共に一体となって回動する。従って、ハンドル２の回動軸線はハンドル支軸４の軸線となる。尚、ハンドル２の形状等は任意であってレバー型でなくてもよい。
【００１５】
かかるハンドル２を支持すべくドア用のハンドル座がドア１に設けられる。ドア用のハンドル座は、ドア１の両壁面１ａ，１ｂにおいてそれぞれハンドル２を支持すべく、ドア１を介して対向する一対の台座５，６を備えている。一対の台座５，６はドア１の両壁面１ａ，１ｂに互いに対向して取り付けられる。従って、一対の台座５，６にはそれぞれ貫通孔１０が形成され、該貫通孔１０をハンドル支軸４が貫通する。貫通孔１０の軸線はハンドル２の回動軸線と略一致する。また、貫通孔１０の両端開口部のうちドア１とは反対側である反ドア１側の開口部から、ハンドル２の基端凸部２ａが貫通孔１０に挿入される。貫通孔１０の反ドア１側の開口縁部には反ドア１側に向けて円筒状の支持用凸部１１が突設されており、ハンドル２の基端凸部２ａの根元部分における端面２ｂが台座５，６の支持用凸部１１の先端面に当接あるいは若干の隙間を介して対峙している。
【００１６】
次に、一対の台座５，６の詳細について説明する。図３にはドア１やハンドル２を省略して一対の台座５，６の取付状態を図示している。一対の台座５，６、即ち、第一の台座５と第二の台座６は、その裏面を互いに対向させるようにしてドア１に取り付けられる。第一及び第二の台座５，６は、互いに異なる形状、サイズであってもよいが、本実施形態では互いに同一形状、同一サイズであって、例えば、丸形、円板状であり、何れも、その中心に貫通孔１０が形成されており、その貫通孔１０を中心とした両側の二箇所において固定ネジ７により互いに締結され一体化される。
【００１７】
第一の台座５は、円形の表面と裏面とを有する円板状の本体部２０を備えている。該本体部２０の中心に貫通孔１０が形成され、その裏面２０ａがドア１の壁面１ａに当接すると共に、貫通孔１０の表側の開口縁部に支持用凸部１１が突設されている。貫通孔１０の両側には、貫通孔１０から等距離であって貫通孔１０と平行にネジ孔２１が一対形成されており、該ネジ孔２１から固定ネジ７が挿入される。即ち、固定ネジ７の軸線もまた貫通孔１０の軸線と略平行である。本体部２０の裏面２０ａには、ネジ孔２１を裏側に所定長さ延長するように、一対のネジ孔２１に対応した箇所にそれぞれガイド筒部２２が突設されている。該ガイド筒部２２はドア１の内部に挿入される。本体部２０と一対のガイド筒部２２は、一体的に形成されていて、例えば、合成樹脂から成形により形成される。
【００１８】
尚、本体部２０の表面と側面を覆うように薄肉のカバー８が装着されている。該カバー８は主として化粧用であって、例えば、金属製とされる。該カバー８によってネジ孔２１の開口部が表側から覆われ、ネジ孔２１の内部に埋没状態にある固定ネジ７のネジ頭もカバー８によって覆い隠される。カバー８の円形の天面部の中心には孔が形成されている。支持用凸部１１の突出量はカバー８の厚さよりも大きく、従って、カバー８の孔から本体部２０の支持用凸部１１が表側に突出し、表側から見ると、カバー８から本体部２０の支持用凸部１１のみが表出した状態となる。また、本体部２０の側面には周溝２３が形成され、該周溝２３にカバー８の側壁内面の突条８ａが係合することにより、本体部２０にカバー８が固定される。
【００１９】
第二の台座６も第一の台座５と全体としては同様の形状であるが、各部の構成が異なっている。第二の台座６は、互いに別体にて構成された台座本体３０と一対のネジ用ボス３１とを備えている。台座本体３０は、第一の台座５の本体部２０に相当する。従って、台座本体３０は、円形の表面と裏面３０ａとを有する円板状であって、中心に貫通孔１０が形成され、裏面３０ａがドア１の壁面１ｂに当接すると共に、貫通孔１０の表側の開口縁部に支持用凸部１１が突設されている。貫通孔１０の両側には、貫通孔１０から等距離であって貫通孔１０と平行に貫通したボス挿入孔３２が一対形成され、該ボス挿入孔３２にネジ用ボス３１が表側から挿入されている。
【００２０】
ネジ用ボス３１の軸線もまた貫通孔１０の軸線と略平行であり、両ネジ用ボス３１は、第一の台座５のネジ孔２１及びガイド筒部２２と対向関係にあって互いに同一線上に位置する。ネジ用ボス３１の表側（反ドア側）の端面３１ａは台座本体３０の表面と略面一であり、ネジ用ボス３１は台座本体３０の裏面３０ａから所定長さ突出する。そして、ネジ用ボス３１の内周面に固定ネジ７が螺入される。ネジ用ボス３１の内周面には予め雌ネジ部が形成されていてもよいし、固定ネジ７が螺入される前の初期状態では雌ネジ部が形成されておらず、固定ネジ７をタッピングネジ等としてそれが螺入されることによって雌ネジ部がネジ切りされる構成であってもよい。尚、台座本体３０やネジ用ボス３１は、何れも例えば合成樹脂から構成され、例えば成形により形成される。
【００２１】
尚、第一の台座５と同様のカバー８が台座本体３０に被せられている。該カバー８によってネジ用ボス３１の端面３１ａが表側から覆い隠される。カバー８の円形の天面部の中心には孔が形成され、該孔から台座本体３０の支持用凸部１１が表側に突出している。台座本体３０の側面には周溝３３が形成され、該周溝３３にカバー８の側壁内面の突条８ａが係合することにより、台座本体３０にカバー８が固定される。
【００２２】
次に、第二の台座６における台座本体３０とネジ用ボス３１との関係について説明する。図４のように、ネジ用ボス３１は、全体として円柱状であって、その先端側には、先端側の端面に開口するネジ受け孔４０が形成されている。また、基端側の端面３１ａには、工具の先端部が係合可能な締結解除用の係合凹部４１が形成されている。該締結解除用の係合凹部４１は、例えば、工具としてのマイナスドライバの先端部が係合可能なように一文字状に形成されているが、この形状は任意である。
【００２３】
ネジ用ボス３１の外周面には、その基端側から順に、最も大径である鍔部４２と、該鍔部４２よりも一段小径とされた主嵌合部４３と、該主嵌合部４３よりも一段小径とされた逃げ部４４と、該逃げ部４４よりも大径とされた規制部４５と、該規制部４５よりも小径とされた延在部４６とが形成されている。主嵌合部４３には、全周に亘って位置決め用の係合溝４７が形成されている。該位置決め用の係合溝４７の形状は例えば断面視Ｖ字状とされる。規制部４５は主嵌合部４３と略同一径であるが、主嵌合部４３よりも小径であってもよい。該規制部４５には、被係止部としての係合凹部４８が１８０度対向して二箇所形成されている。但し、この係合凹部４８の個数は任意であってその配置も任意である。また、本実施形態では係合凹部４８の底は延在部４６と逃げ部４４に略面一になっているが、これらは略面一でなくてもよい。但し、後述するように、延在部４６と係合凹部４８の底とは略面一になっていることが好ましい。
【００２４】
図５〜図７にネジ用ボス３１が挿入される前の状態の台座本体３０を示している。図５は表側から見た図、図６は裏側から見た図、図７は図５のＡ−Ａ断面図である。図５及び図６のように、台座本体３０を表側あるいは裏側から見たとき、中央の貫通孔１０と一対のボス挿入孔３２は一直線状に配置されている。ボス挿入孔３２は、表側に位置する相対的に大径な鍔用嵌合孔部３４と、裏側に位置する相対的に小径な主嵌合孔部３５とに区画される。図３にも示しているように、鍔用嵌合孔部３４はネジ用ボス３１の鍔部４２と対応していて鍔部４２よりも若干大径であって、鍔用嵌合孔部３４に鍔部４２が軸線回りに相対回転可能に嵌合する。主嵌合孔部３５はネジ用ボス３１の主嵌合部４３と対応していて主嵌合部４３よりも若干大径であって、主嵌合孔部３５に主嵌合部４３が軸線回りに相対回転可能に嵌合する。尚、ネジ用ボス３１の鍔部４２が鍔用嵌合孔部３４と主嵌合孔部３５との間の段差部に当接することによりネジ用ボス３１のそれ以上の挿入が阻止される。また、主嵌合孔部３５の壁面には、ボス挿入孔３２に対するネジ用ボス３１の軸線方向の位置を決めるための位置決め用の係合突起３６が突設されている。該位置決め用の係合突起３６は、ネジ用ボス３１の位置決め用の係合溝４７に係合する構成であって、例えば、１８０度対向して一対形成されるが、その個数や配置、あるいは形状は種々のものであってよい。
【００２５】
更に、ボス挿入孔３２の裏側の開口縁部には係合突片３７が形成されている。該係合突片３７は、ネジ用ボス３１の回り止めとなる係止部であって、図７のようにボス挿入孔３２の中心側に向かって延びていると共に台座本体３０の表側から裏側に向かって傾斜している。台座本体３０の裏面３０ａは全体として平坦面であり、係合突片３７が裏側に向かって傾斜していることから、係合突片３７は台座本体３０の裏面３０ａから裏側に斜めに突出した状態にあり、その突出量は係合突片３７の基端側から先端側に向けて徐々に大きくなっている。
【００２６】
係合突片３７は１８０度対向して一対形成されている。上述したように、中央の貫通孔１０と一対のボス挿入孔３２は正面視あるいは背面視において一直線状に配置されているが、それに対して直交するように一対の係合突片３７が形成されている。即ち、貫通孔１０と一対のボス挿入孔３２の配置態様に対して直交するように係合突片３７が突設されていると共に、１８０度対向して一対配置されている。また、位置決め用の係合突起３６に対しても係合突片３７は９０度周方向に位置ずれしていて、位置決め用の一対の係合突起３６と一対の係合突片３７とは互いに直交関係にある。
【００２７】
係合突片３７は、ボス挿入孔３２の軸線方向に沿って弾性変形可能に形成されており、例えば、台座本体３０を合成樹脂から形成することにより、係合突片３７を容易に弾性変形させることができる。即ち、係合突片３７は、その基端側が固定端の状態にあってその先端側が自由端の状態にあるため、基端を支点として先端側がボス挿入孔３２の軸線方向に揺動するように撓むことができる。かかる係合突片３７の先端は、ネジ用ボス３１の外周面に対応して、基端側に凹状に湾曲した湾曲面であることが好ましい。尚、係合突片３７は、その幅に対してその厚さが薄く形成されることが好ましい。また、台座本体３０を成形により形成する場合には、本実施形態のように、台座本体３０の表側に、係合突片３７を形成するための凹部３８をボス挿入孔３２と連続して該ボス挿入孔３２を径方向外側に広げるようにして形成することが好ましい。
【００２８】
図８〜図１０に一対のネジ用ボス３１を台座本体３０に取り付けた状態を示している。図８〜図１０はそれぞれ図５〜図７に対応した図である。台座本体３０のボス挿入孔３２に表側からネジ用ボス３１を挿入していくと、係合突片３７の先端部は延在部４６に当接するか、あるいは、延在部４６から僅かに離間した状態となって、延在部４６を軸線方向に相対的に移動する。やがてネジ用ボス３１が所定位置まで挿入されると、ボス挿入孔３２の壁面の位置決め用の係合突起３６がネジ用ボス３１の位置決め用の係合溝４７に係合すると共に、ネジ用ボス３１の鍔部４２がボス挿入孔３２における鍔用嵌合孔部３４と主嵌合孔部３５との間の段差部に当接し、その位置に位置決めされる。そのようにネジ用ボス３１が所定位置まで挿入されると、係合突片３７の先端部は係合凹部４８に到達してそこに係合する。従って、ネジ用ボス３１は台座本体３０に対してネジ用ボス３１の軸線回りに回転することができない。尚、図１０に示しているように、係合突片３７の先端部が係合凹部４８に係合した状態では、係合突片３７の先端部は係合凹部４８の底であるネジ用ボス３１の外周面から僅かに離間した状態にある。尚、延在部４６と係合凹部４８の底とが略面一になっているので、係合突片３７の先端部は延在部４６から係合凹部４８へとスムーズに移行できる。
【００２９】
図８〜図１０に示した状態が第二の台座６の取付前の初期状態である。そして、第一及び第二の台座５，６をそれぞれドア１に取り付けて固定ネジ７によって締結一体化するのであるが、第二の台座６のネジ用ボス３１は、台座本体３０の係合突片３７によって係止されて回り止めされた状態にあり、台座本体３０に対して軸線回りに相対回転することができない状態にある。従って、固定ネジ７を第一の台座５側から挿入して第二の台座６のネジ用ボス３１にねじ込んでいくことができる。
【００３０】
固定ネジ７を第二の台座６のネジ用ボス３１に螺入していくと、固定ネジ７のねじ込みに応じて第一及び第二の台座５，６は徐々に互いに接近していき、ドア１の両壁面１ａ，１ｂとの間の隙間も徐々に狭くなっていく。やがてドア１の壁面１ｂと第二の台座６との間の隙間が一定値以下になると、第二の台座６の係合突片３７がドア１の壁面１ｂに当接し、反作用によってドア１の壁面１ｂに押されることになる。係合突片３７がドア１の壁面１ｂに押されると、係合突片３７はドア１の壁面１ｂから離れる方向である反ドア１側に向けて弾性変形し、この係合突片３７の弾性変形によってその先端部はネジ用ボス３１の係合凹部４８から外れて逃げ部４４へと位置変化する。これにより、係合突片３７によるネジ用ボス３１の回り止めが解除され、ネジ用ボス３１は台座本体３０に対してネジ用ボス３１の軸線回りに相対回転可能な状態となる。
【００３１】
ネジ用ボス３１は、その鍔部４２と主嵌合部４３においてそれぞれ鍔用嵌合孔部３４と主嵌合孔部３５とに嵌合状態にあってそこで台座本体３０に軸線回りに回転可能に支持されている。従って、固定ネジ７をそれ以上ねじ込もうとしても、ネジ用ボス３１が台座本体３０に対して空転して固定ネジ７とネジ用ボス３１は一体となって共回りするので、それ以上固定ネジ７をねじ込むことはできなくなる。また、その状態まで固定ネジ７をねじ込むと、図１１のようにドア１の両壁面１ａ，１ｂに第一の台座５の本体部２０の裏面２０ａと第二の台座６の台座本体３０の裏面３０ａがそれぞれ隙間なく当接した、所定の取付状態となる。そして、第一及び第二の台座５，６にそれぞれカバー８を装着して取付作業が完了する。尚、ネジ用ボス３１の係合凹部４８やそれよりも先端側の延在部４６は、ドア１の壁面１ｂよりも内部に位置する。
【００３２】
尚、ドア１から第一及び第二の台座５，６を取り外すときには、それぞれカバー８を取り外し、ネジ用ボス３１の端面３１ａの締結解除用の係合凹部４１にマイナスドライバの先端部を差し込むことでネジ用ボス３１の空転を阻止でき、その状態で固定ネジ７を緩めて、第一及び第二の台座５，６を互いに分離することができる。
【００３３】
以上のように構成されたドア用のハンドル座にあっては、固定ネジ７を一定以上ねじ込むと、係合突片３７がドア１の壁面１ｂに押されることでネジ用ボス３１の回り止め状態が自動的に解除される。従って、それ以上固定ネジ７をねじ込もうとしてもネジ用ボス３１は空転するだけであり、固定ネジ７の締め込み過ぎによるネジ用ボス３１のネジ山の破損を確実に防止することができる。特に、係合突片３７がドア１側に向かって斜めに延びていて台座本体３０の裏面３０ａから突出する構成であるので、係合突片３７がドア１の壁面１ｂによって確実に押されて反ドア側に弾性変形できる。また、係合突片３７の弾性変形を利用した構成であるので、回り止めを解除するための構成も容易に形成できる。そして、係合突片３７が係合凹部４８から外れると、第一の台座５の本体部２０の裏面２０ａと第二の台座６の台座本体３０の裏面３０ａがドア１の両壁面１ａ，１ｂにそれぞれ当接した取付完了状態に自動的になる。
【符号の説明】
【００３４】
１    ドア
１ａ  壁面
１ｂ  壁面
２    ハンドル
２ａ  基端凸部
２ｂ  端面
３    ラッチ機構部
４    ハンドル支軸
５    第一の台座（他方の台座）
６    第二の台座（一方の台座）
７    固定ネジ
８    カバー
８ａ  突条
１０    貫通孔
１１    支持用凸部
２０    本体部
２０ａ  裏面
２１    ネジ孔
２２    ガイド筒部
２３    周溝
３０    台座本体
３０ａ  裏面
３１    ネジ用ボス
３１ａ  端面
３２    ボス挿入孔
３３    周溝
３４    鍔用嵌合孔部
３５    主嵌合孔部
３６    位置決め用の係合突起
３７    係合突片
３８    凹部
４０    ネジ受け孔
４１    締結解除用の係合凹部
４２    鍔部
４３    主嵌合部
４４    逃げ部
４５    規制部
４６    延在部
４７    位置決め用の係合溝
４８    係合凹部
【図１】
2016053244.tif 000003
【図２】
2016053244.tif 000004
【図３】
2016053244.tif 000005
【図４】
2016053244.tif 000006
【図５】
2016053244.tif 000007
【図６】
2016053244.tif 000008
【図７】
2016053244.tif 000009
【図８】
2016053244.tif 000010
【図９】
2016053244.tif 000011
【図１０】
2016053244.tif 000012
【図１１】
2016053244.tif 000013